(57)【要約】【課題】  製造が容易で、表示板の中央部を有効に活用して、奥行き感を与える表示を行うことが可能な計器装置を提供するものである。【解決手段】  回転軸１０を中心に回転する指針２と、少なくとも指針２が指示する第１の表示部１１を設けた第１の表示部材である第１の表示板３とを備えた計器装置１において、第１の表示板３の中央部に、フレーム１５に固定されるとともに第２の表示部１３を備えた第２の表示部材である第２の表示板４を設けたものである。【選択図】  図２
2005189156.tif 000002
【特許請求の範囲】
【請求項１】
回転軸を中心に回転する指針と、少なくとも前記指針が指示する第１の表示部を設けた第１の表示部材とを備えた計器装置において、前記第１の表示部材の中央部に、フレームに固定されるとともに第２の表示部を備えた第２の表示部材を設けたことを特徴とする計器装置。
【請求項２】
前記第１の表示部を照明する光源を設け、前記光源にて前記第２の表示部を照明することを特徴とする請求項１に記載の計器装置。
【請求項３】
前記第２の表示部材と前記光源との間に前記第１の表示部材を設け、前記第１の表示部材に前記第２の表示部の輝度調整部を設けたことを特徴とする請求項２に記載の計器装置。
【請求項４】
前記第２の表示部を専用に照明する第２の光源を設けたことを特徴とする請求項１記載の計器装置。
【発明の詳細な説明】
【技術分野】
【０００１】
本発明は、例えば自動車に搭載される計器装置に関し、特に、奥行き感を備えた表示を行う計器装置に関する。
【背景技術】
【０００２】
従来の計器装置は、表示板に立体的な奥行き感を持たせるために、表示板の周囲を絞り加工によって隆起させたものであった（例えば、特許文献１参照）。
【特許文献１】特開２００２−２２４９９号公報（図２参照）
【発明の開示】
【発明が解決しようとする課題】
【０００３】
しかし、従来の計器装置は、表示板の周囲を隆起させて奥行き感を持たせるものであり、表示板の中央部は奥行き感を与える上で有効に活用されていなかった。また、表示板に絞り加工を施しているので、製造が難しいという問題もあった。
【０００４】
そこで、本発明は、この点に鑑みてなされたもので、その主な目的は、製造が容易で、表示板の中央部を有効に活用して、奥行き感を与える表示を行うことが可能な計器装置を提供するものである。
【課題を解決するための手段】
【０００５】
本発明は前記目的を達成するため、回転軸を中心に回転する指針と、少なくとも前記指針が指示する第１の表示部を設けた第１の表示部材とを備えた計器装置において、前記第１の表示部材の中央部に、フレームに固定されるとともに第２の表示部を備えた第２の表示部材を設けたものである。
【０００６】
また、前記第１の表示部を照明する光源を設け、前記光源にて前記第２の表示部を照明するものである。
【０００７】
また、前記第２の表示部材と前記光源との間に前記第１の表示部材を設け、前記第１の表示部材に前記第２の表示部の輝度調整部を設けたものである。
【０００８】
また、前記第２の表示部を専用に照明する第２の光源を設けたものである。
【発明の効果】
【０００９】
以上、本発明によれば、初期の目的を達成することができ、製造が容易で、表示板の中央部を有効に活用して、奥行き感を与える表示を行うことが可能な計器装置を提供することができる。
【発明を実施するための最良の形態】
【００１０】
本発明の計器装置は、回転軸１０を中心に回転する指針２と、少なくとも指針２が指示する第１の表示部１１を設けた第１の表示部材である第１の表示板３とを備えた計器装置１において、第１の表示板３の中央部に、フレーム１５に固定されるとともに第２の表示部１３を備えた第２の表示部材である第２の表示板４を設けたものである。このように構成したことによって、製造が容易で、表示板の中央部を有効に活用して、奥行き感を与える表示を行うことが可能な計器装置を提供することができる。
【００１１】
また、第１の表示部１１を照明する光源である発光ダイオード３４を設け、発光ダイオード３４にて第２の表示部１３を照明するものである。このように構成したことによって、製造が容易で、表示板の中央部を有効に活用して、奥行き感を与える表示を行うことが可能な計器装置を提供することができる。また、第１の表示部１１と第２の表示部１３とを同一の発光ダイオード３４で照明することで、コストの上昇を抑制することができる。
【００１２】
また、第２の表示板４と発光ダイオード３４との間に第１の表示板３を設け、第１の表示板３に第２の表示部４の輝度調整部３ｂを設けたものである。このように構成したことによって、製造が容易で、表示板の中央部を有効に活用して、奥行き感を与える表示を行うことが可能な計器装置を提供することができる。また、第１の表示板３で第２の表示部１３の輝度調整を行うことができ、第２の表示板４に輝度調整部を設けなくともよいので、コストの上昇を抑制することができる。
【００１３】
また、第２の表示部３６を専用に照明する第２の光源である発光ダイオード３７を設けたものである。このように構成したことによって、製造が容易で、表示板の中央部を有効に活用して、奥行き感を与える表示を行うことが可能な計器装置を提供することができる。また、第２の表示部３６を警告表示などに用いることができる。
【実施例１】
【００１４】
図１から図４は本発明の第１実施例を示すものである。
【００１５】
本実施例の計器装置１は、車両の速度を表す速度計であり、図１に示すように、指針２と、第１の表示部材である第１の表示板３と、第１の表示板３の中央部に位置する第２の表示部材である第２の表示板４とを備えている。なお、５は遮光性の合成樹脂にて形成された見返しであり、第１の表示板３が露出する開口５ａを備えている。６は液晶表示器であり、７は第１の表示板３や第２の表示板４を保持する計器フレームであり、８は指針２を駆動する計器本体であり、９は回路基板である。
【００１６】
指針２は後述する指針用光源によって発光するものであり、その回転中心部を遮光性の合成樹脂からなるカップ状のキャップ２ａで覆われている。指針２は計器本体８と回転軸１０によって連結されており、計器本体８によって回転軸１０を中心として第１の表示板３上を回転する。
【００１７】
第１の表示板３は基材が透明な合成樹脂からなる板状体であり、その中央に貫通孔３ａを備えたリング形状である。また、第１の表示板３は指針２の背後に設けられている。第１の表示板３の表面には、指針２が指示する目盛や文字などからなる第１の表示部１１を備えている。第１の表示部１１は、光透過性のインクにて第１の表示板３の表面に印刷形成されており、本実施例では、車両の速度をキロメートル単位で表示するものである。第１の表示板３の地の部分１２は、遮光性のインクにて印刷形成されている。
【００１８】
第２の表示板４は指針２と第１の表示板３との間に設けられている。第２の表示板４も第１の表示板３と同じく、基材が透明な合成樹脂からなる板状体である。その表面には、光透過性のインクにて印刷形成された第２の表示部１３を備えており、地の部分１４は、遮光性のインクにて印刷形成されている。なお、本実施例では、第２の表示部１３も指針２が指示するものであるが、目盛は設けておらず文字のみで、第１の表示部１１がキロメートル単位の速度であるのに対して、マイル単位の速度を表示している。また、第２の表示板４は第１の表示板３の中央部に位置しており、その中央に貫通孔４ａを備えたリング形状である。
【００１９】
また、第２の表示板４はフレーム１５に固定されている。このフレーム１５は合成樹脂にて形成されている。このフレーム１５は円盤状で、その中央部に回転軸１０が貫通する円筒部１６を備えている。この円筒部１６は指針２のキャップ２ａ内に入り込んでおり、後述する指針用光源からの光がキャップ２周囲に漏れないように形成してある。この円筒部１６の外面に、第２の表示板４の貫通孔４ａに係止して第２の表示板４を固定する爪１７が３つ設けられている。第２の表示板４は、この爪１７と両面テープによってフレーム１５に固定されている。また、円筒部１６の内面に、フレーム１５を後述する指針用導光体に係止する固定爪１８が３つ設けられている。また、フレーム１５の外周部には、立ち上がり壁１９が設けられている。この立ち上がり壁１９は、遮光性のインクで覆われにくい第２の表示板４の端面が露出することを防止するものであり、外観の見栄えをよくするものである。また、フレーム１５の外周側で、かつ、第２の表示部１３に対応する板面部分には、５つの貫通した孔２０が設けられている。これは、後述する光源からの光を第２の表示部１４に導くためのものである。また、フレーム１５の背面には計器フレーム７に固定する際に、位置を決めるためのピン１５ａが２つ設けられている。
【００２０】
また、第１の表示板３の貫通孔３ａの近傍で、第２の表示板４の裏面で第２の表示部１３に対応する部分には、後述する光源からの光を調整する輝度調整部３ｂが設けられている。この輝度調整部３ｂとしては、通称網点と呼ばれる数多くの細かな点を印刷して設けたものである。この輝度調整部３ｂは、第１の表示板３に設けた第１の表示部１１用の輝度調整部と同一工程で形成されるものである。
【００２１】
液晶表示器６は液晶表示セル２１と、この液晶表示セル２１を背後から照明する液晶表示セル用光源２２と、この液晶表示セル用光源２２の光を周囲に拡散させないように照明室２３とから構成されている。なお、９ａは可撓性の配線基板であり、９ｂはコネクタであり、この可撓性の配線基板９ａとコネクタ９ｂとで、液晶表示セル２１と回路基板９とを電気的に接続するものである。
【００２２】
計器フレーム７は遮光性の白色の合成樹脂からなり、指針２用の照明室と第１の表示板３用の照明室とを仕切る円筒部２４と、すり鉢状の反射部２５とを備えている。なお、本実施例では、計器フレーム７に液晶表示器６の照明室２３も一体に形成されている。
【００２３】
円筒部２４内には、指針２を照明する指針用光源として発光ダイオード２６が設けられている。この発光ダイオード２６は回転軸１０の近くに複数個設けられている。また、円筒部２４内には、発光ダイオード２６の光を効率よく指針２に導くために、透明な合成樹脂からなる指針用導光体２７を備えている。この指針用導光体２７は発光ダイオード２６の光を指針２に導く円筒部分２８と、この円筒部分２８に設けられた脚部２９とで構成されている。この円筒部分２８の上端側（指針２側）にフレーム１５の爪１７に係止する爪部３０が形成されている。また、円筒部２４の上端には、指針用導光体２７の円筒部分２８が貫通する孔３１を備えた蓋部３２が設けられており、この蓋部３２には、フレーム１５のピン１５ａが嵌る位置決め孔３３が設けられている。前述した第２の表示板４を固定したフレーム１５は、フレーム１５の爪１７を爪部３０に係止して固定するとともに、両面テープによって蓋部３２にも固定されている。
【００２４】
また、円筒部２４の外側と反射部２５とで形成される第１の表示板３用の照明室内には、第１、第２の表示板３，４を照明する為の光源である発光ダイオード３４が設けられている。また、この照明室内には、発光ダイオード３４の光を効率よく反射部２５の外周近傍に導くために、断面形状がＬの字状の導光体３５を備えている。なお、本実施例では、指針用導光体２７と導光体３５とは一体に形成されており、図示していない部分で連結されている。
【００２５】
計器フレーム１１の背後には回路基板９が設けられている。この回路基板９には、ガラスエポキシ樹脂からなる硬質の回路基板９であり、液晶表示器６や計器フレーム７及び計器本体８が固定されている。計器本体８は、例えば、交叉コイル式計器本体やステッピングモータなどであり、回転軸１０を介して指針２を駆動するものである。
【００２６】
次に本実施例の照明について説明する。指針２については、指針用の発光ダイオード２６の光を指針用導光体２７にて、指針２まで導くことによって指針２が発光する。なお、フレーム１５の円筒部１６がキャップ２ａ内に入り込んで、フレーム１５と円筒部１６が回転軸１０方向において、重なっているので、キャップ２と円筒部１６との間からの光漏れを抑制することができる。
【００２７】
次に第１の表示部１１と第２の表示部１３との照明について説明する。第１の表示部１１は、発光ダイオード３４の光が導光体３５によって図２中横方向に光の進路を曲げて反射部２５へ向けて射出され、そして、反射部２５にて第１の表示部１１側に反射されて、反射された光が第１の表示部１１を透過照明する。また、第２の表示部１３は、発光ダイオード３４の光が導光体３５から漏れた光や直接光によって、第１の表示板３の輝度調整部３ｂ、フレーム１５の孔２０を介して透過照明される。
【００２８】
第１の表示板３に第２の表示部１３の輝度調整部３ｂを設けたことによって、第２の表示板１３に輝度調整部を設けなくともよく、第２の表示板１３を作成する場合に、印刷工程を削減することができ、コストを削減することができる。
【００２９】
このように、発光ダイオード３４にて、第１の表示部１１と第２の表示部１３とを照明することによって、発光ダイオード３４を設ける個数を減らすことができ、コストを削減することができる。
【００３０】
また、以上のように構成したことにより、第１の表示板３の中央部に、フレーム１５の厚み分回転軸１０の軸方向に高さの異なる第２の表示板４を設けることができ、第１の表示板３の中央部を有効に活用して、奥行き感を与える表示を行うことが可能な計器装置１を提供することができる。また、平板状の第１の表示板３に、同じく平板状の第２の表示板４をフレーム１５に固定し計器フレーム７に固定するので、製造が容易で安価な平板状の表示板を用いることができるので、従来のような絞り加工を施した表示板を使用しなくともよいので、表示板の製造が容易な計器装置を提供することができる。
【実施例２】
【００３１】
次に本発明の第２実施例を図５を用いて説明する。本実施例が第１実施例と異なる点は、第２の表示板４の第２の表示部３６を専用に照明する第２の光源である発光ダイオード３７を設けたものである。この第２の表示部３６は警告表示部であり、警告する内容としては、例えば、パーキングブレーキ警告やシートベルト警告などがあり、適宜設定可能である。このように第２の表示部３６を専用に照明する第２の光源３７を設けたものであってもよい。
【００３２】
また、第１実施例では、フレーム１５が固定爪１８を指針用導光体２７に設けた爪３０に係止されるとともに、両面テープにて蓋部３２に固定されていたが、本実施例では、位置決め用のピン３８に係止爪３９を形成し、この係止爪３９を計器フレーム７の蓋部３２に設けた位置決め孔３３に係止して固定するものであってもよい。
【００３３】
また、前記各実施例では、全ての光源に発光ダイオードを採用しているが、前記各実施例に限定されるものではなく、白熱ランプなどの光源を用いてもよい。
【図面の簡単な説明】
【００３４】
【図１】本発明の第１実施例の正面図。
【図２】図１中Ａ−Ａ線の断面図。
【図３】同実施例のフレームの正面図。
【図４】同実施例のフレームの斜視図。
【図５】本発明の第２実施例の断面図。
【符号の説明】
【００３５】
１    計器装置
２    指針
３    第１の表示部材（第１の表示板）
３ｂ  輝度調整部
４    第２の表示部材（第２の表示板）
５    見返し
６    液晶表示器
７    計器フレーム
８    計器本体
９    回路基板
１０    回転軸
１１    第１の表示部
１３，３６  第２の表示部
１５    フレーム
３４    発光ダイオード
３７    第２の光源
【図１】
2005189156.tif 000003
【図２】
2005189156.tif 000004
【図３】
2005189156.tif 000005
【図４】
2005189156.tif 000006
【図５】
2005189156.tif 000007